(57)【要約】【課題】  盗難・紛失時にデータの漏えいや不正操作のリスクを大幅に削減可能な携帯端末を提供する。【解決手段】  少なくとも端末操作を不可とする第１のロック状態にするロック手段（ロックマネージャ１４）を含む携帯端末１は、端末操作が行われずに予め登録された起動時間が経過した時に少なくとも予め設定された第２のロック状態にあること及び第２のロック状態を解除するためのキー入力受付け状態にあることを表示するプリロック手段（プリロックマネージャ１３）を有し、キー入力受付け状態に対するキー入力が正常に行われなかった時にロック手段を起動して第１のロック状態にしている。【選択図】      図１
2009049824.tif 000002
【特許請求の範囲】
【請求項１】
少なくとも端末操作を不可とする第１のロック状態にするロック手段を含む携帯端末であって、
前記端末操作が行われずに予め登録された起動時間が経過した時に少なくとも予め設定された第２のロック状態にあること及び前記第２のロック状態を解除するためのキー入力受付け状態にあることを表示するプリロック手段を有し、
前記キー入力受付け状態に対するキー入力が正常に行われなかった時に前記ロック手段を起動して前記第１のロック状態にすることを特徴とする携帯端末。
【請求項２】
前記端末操作にて操作可能な複数の機能を含み、
前記プリロック手段は、前記ロック手段の起動時に前記複数の機能をロックする処理を起動することを特徴とする請求項１記載の携帯端末。
【請求項３】
前記ロック手段は、識別情報による利用者認証及び生体認証による利用者認証のいずれかにて利用者を認証した時に前記第１のロック状態を解除し、
前記プリロック手段は、前記キー入力によって利用者を認証した時に前記第２のロック状態を解除することを特徴とする請求項１または請求項２記載の携帯端末。
【請求項４】
前記ロック手段は、起動時に自端末内部のデータの読出し禁止または削除を行うことを特徴とする請求項１から請求項３のいずれか記載の携帯端末。
【請求項５】
少なくとも端末操作を不可とする第１のロック状態にするロック処理を行う携帯端末に用いるロック方法であって、
前記携帯端末が、前記端末操作が行われずに予め登録された起動時間が経過した時に少なくとも予め設定された第２のロック状態にあること及び前記第２のロック状態を解除するためのキー入力受付け状態にあることを表示するプリロック処理を実行し、
前記キー入力受付け状態に対するキー入力が正常に行われなかった時に前記ロック処理を起動して前記第１のロック状態にすることを特徴とするロック方法。
【請求項６】
前記携帯端末は、前記端末操作にて操作可能な複数の機能を含み、
前記携帯端末が、前記プリロック処理において、前記ロック処理の起動時に前記複数の機能をロックする処理を起動することを特徴とする請求項５記載のロック方法。
【請求項７】
前記携帯端末が、前記ロック処理において、識別情報による利用者認証及び生体認証による利用者認証のいずれかにて利用者を認証した時に前記第１のロック状態を解除し、
前記携帯端末が、前記プリロック処理において、前記キー入力によって利用者を認証した時に前記第２のロック状態を解除することを特徴とする請求項５または請求項６記載のロック方法。
【請求項８】
前記携帯端末が、前記ロック処理において、その起動時に前記携帯端末内部のデータの読出し禁止または削除を行うことを特徴とする請求項５から請求項７のいずれか記載のロック方法。
【発明の詳細な説明】
【技術分野】
【０００１】
本発明は携帯端末及びそれに用いるロック方法に関し、特に携帯端末の操作を不可としたり、携帯端末内に保存されたデータの読出しの抑止や削除を行うロック方法に関する。
【背景技術】
【０００２】
現在、本発明に関連する携帯端末においては、スケジュール、電子メール、アドレス、写真等の機密情報となりうるデータが内部に保持されており、常に盗難・紛失の際に情報漏えいのリスクが存在している。携帯端末の情報漏えい防止策としては、サーバからの端末ロック機能や、端末自身のロック機能が存在している（例えば、特許文献１参照）。
【０００３】
上記の特許文献１に記載の方法では、データ消去時間を携帯端末に設定し、時間が経過すると、携帯端末自身が携帯端末内のデータのロック（データの読出し禁止）、または消去を行っている。
【０００４】
このデータ消去方法について、図３を参照して説明する。図３において、携帯端末２のロック設定マネージャ２１は、携帯端末２の所有者がデータ消去時間を設定すると、そのデータ消去時間をロックタイマ２２に通知する。
【０００５】
ロックタイマ２２は、ロック設定マネージャ２１から受信したデータ消去時間が経過した時にトリガを発生させてロックマネージャ２３に通知する。ロックマネージャ２３はトリガを受け取ると（データ消去時間が経過すると）、携帯端末２内のデータのロック、または消去を行う。
【０００６】
【特許文献１】特開２００７−９７０２３号公報
【発明の開示】
【発明が解決しようとする課題】
【０００７】
本発明に関連する携帯端末では、内部に保持されたデータが、盗難・紛失の際に漏えいするのを防止するために、サーバからの端末ロック機能や、端末自身のロック機能を備えているが、これらの手段では、所有者が携帯端末の盗難・紛失に気が付いてからロックを掛けるまでに時間差があるため、リスクが生じたり、パスワード付きスクリーンセーバの場合にはロック後の解除にコストが掛り、パスワードなしスクリーンセーバの場合にはセキュリティ上の課題がある。
【０００８】
また、上記の特許文献１に記載の方法では、携帯端末の紛失時の情報漏えい防止に重点が置かれているが、データ消去時間が、一般的に数十分または数時間単位で設定されることが考えられるため、紛失からデータ消去までの時間間隔にリスクが生じる。さらに、特許文献１に記載の方法では、データ消去を行うため、携帯端末の復旧にコストが掛かる。
【０００９】
そこで、本発明の目的は上記の問題点を解消し、盗難・紛失時にデータの漏えいや不正操作のリスクを大幅に削減することができる携帯端末及びそれに用いるロック方法を提供することにある。
【課題を解決するための手段】
【００１０】
本発明による携帯端末は、少なくとも端末操作を不可とする第１のロック状態にするロック手段を含む携帯端末であって、
前記端末操作が行われずに予め登録された起動時間が経過した時に少なくとも予め設定された第２のロック状態にあること及び前記第２のロック状態を解除するためのキー入力受付け状態にあることを表示するプリロック手段を有し、
前記キー入力受付け状態に対するキー入力が正常に行われなかった時に前記ロック手段を起動して前記第１のロック状態にしている。
【００１１】
本発明によるロック方法は、少なくとも端末操作を不可とする第１のロック状態にするロック処理を行う携帯端末に用いるロック方法であって、
前記携帯端末が、前記端末操作が行われずに予め登録された起動時間が経過した時に少なくとも予め設定された第２のロック状態にあること及び前記第２のロック状態を解除するためのキー入力受付け状態にあることを表示するプリロック処理を実行し、
前記キー入力受付け状態に対するキー入力が正常に行われなかった時に前記ロック処理を起動して前記第１のロック状態にしている。
【発明の効果】
【００１２】
本発明は、上記のような構成及び動作とすることで、盗難・紛失時にデータの漏えいや不正操作のリスクを大幅に削減することができるという効果が得られる。
【発明を実施するための最良の形態】
【００１３】
次に、本発明の実施の形態について図面を参照して説明する。図１は本発明の実施の形態による携帯端末の内部構成を示すブロック図である。図１において、携帯端末１は、ロック設定マネージャ１１と、ロックタイマ１２と、プリロックマネージャ１３と、ロックマネージャ１４とから構成されている。
【００１４】
ロック設定マネージャ１１は、携帯端末１の所有者がロック解除キー、ダイアログ起動時間、ダイアログ表示時間の設定を行う。ロックタイマ１２は、ロック設定マネージャ１１から受信したダイアログ起動時間、ダイアログ表示時間からトリガを発生させる。
【００１５】
プリロックマネージャ１３は、ロックタイマ１２からトリガを受け取り、ダイアログ表示、キー入力の受付け、スクリーンセーバ起動を行う。つまり、プリロックマネージャ１３は、携帯端末１の操作が行われずに、予め登録された起動時間が経過した時に少なくとも予め設定された第２のロック状態にあること及び前記第２のロック状態を解除するためのキー入力受付け状態にあることを表示したり、ロックマネージャ１４による少なくとも端末操作を不可とする第１のロック状態を隠すための機能ロック処理（携帯端末１が持つ様々な機能をロックするための処理、例えばスクリーンセーバ等）を起動する。
【００１６】
ロックマネージャ１４はプリロックマネージャ１３からのキー入力の判定結果に応じて、携帯端末１の操作を不可とするロック（第１のロック状態）、携帯端末１内部のデータのロック（データの読出し禁止）、または消去を行う。
【００１７】
プリロックマネージャ１３におけるダイアログ表示、キー入力の受付けに対して携帯端末１の利用者からのキー入力が行われると、そのキー入力が登録キーの入力の場合には、プリロックマネージャ１３によるプリロックの解除が行われ、そのキー入力が登録キー以外の入力の際に、失敗した場合や入力がなかった場合にはプリロックマネージャ１３によるプリロックの解除が行われず、スクリーンセーバが起動する。
【００１８】
本実施の形態では、携帯端末１の利便性と安全性とを両立させる方式として、二段階ロック方式によって解決を図っている。二段階ロック方式には、プリロックマネージャ１３によるプリロックとロックマネージャ１４によるロックとがあり、まず数十秒といった短時間でプリロックが起動され、容易なキー入力によって使用可能状態に戻る。
【００１９】
プリロックマネージャ１３によるプリロックが解除された場合には、携帯端末１の通常利用が可能となる。キー誤入力や入力がなかった場合には、プリロックマネージャ１３によるプリロックを解除することができず、識別情報［例えば、ＰＩＮ（Ｐｅｒｓｏｎａｌ  Ｉｄｅｎｔｉｆｉｃａｔｉｏｎ  Ｎｕｍｂｅｒ）等］による利用者認証や生体認証（バイオメトリクス認証）（例えば、指紋認証等）が必要な本格的なロックマネージャ１４によるロックが掛かる。
【００２０】
図２は図１の携帯端末１の動作を示すフローチャートである。これら図１及び図２を参照して本発明の実施の形態による携帯端末１の動作について説明する。
【００２１】
まず、携帯端末１では、携帯端末１の所有者がロック設定マネージャ１１にて、解除キー、プリロック起動時間、キー入力時間の登録を行う（図２ステップＳ１）。携帯端末１が操作されず、ステップＳ１で登録されたプリロック起動時間が経つと、携帯端末１では、プリロックマネージャ１３にてプリロックのキー入力ダイアログが表示される（図２ステップＳ２）。
【００２２】
携帯端末１では、所有者によってキー入力が正常に行われたかを判定し（図２ステップＳ３）、キー入力が失敗、もしくはなかった場合、ロックマネージャ１４によるロックが起動し、携帯端末１の操作が不可になり（図２ステップＳ４）、携帯端末１の機密情報の削除が行われる（図２ステップＳ５）。端末の復旧を行う場合には、携帯端末１でロックマネージャ１４によるロックが解除される（図２ステップＳ６）。
【００２３】
一方、ステップ３においてキー入力が成功したと判定されると、携帯端末１では、プリロックマネージャ１３によるプリロックが解除され、プリロック起動時間まで待機する（図２ステップＳ７）。
【００２４】
本実施の形態の適用例では、解除キーとして容易なパタン、プリロック起動時間として数十秒程度の短い時間の指定が考えられる。所有者からの操作が数十秒程度なかった場合、プリロックマネージャ１３にてキー入力ダイアログが表示され、時間内にキー入力を行うことで容易に解除を行うことができる。キー入力の間違え、または時間内の入力ができなかった場合には、ロックマネージャ１４によるロックが掛かることとなる。
【００２５】
このように、本実施の形態では、携帯端末１のプリロック機能（プリロックマネージャ１３）によって、所有者が利便性を損なわずに、容易なキーの入力で、所有者本人以外からの不正利用を防ぐことが可能となるので、携帯端末１の盗難・紛失時にデータの漏えいや不正操作のリスクを大幅に削減することができる。
【００２６】
すなわち、本発明は、図１に示すように、プリロックマネージャ１３を導入し、プリロックマネージャ１３及びロックマネージャ１４による二段階ロックを提供することで、携帯端末１の所有者の利便性を考慮し、短時間間隔のプリロックで不正利用や情報漏えいのリスクを減らし、また容易なキー入力のみで、低コストで、利用可能状態に復旧することができる。
【００２７】
上記のように、本発明は、携帯端末１の紛失または盗難時において、所有者と携帯端末１とが物理的に離れた際に、他者からの不正利用によって、企業システムへの不正アクセスや、情報漏えいのリスクを小さくする仕組みに特徴がある。本発明では、携帯端末１のプリロックマネージャ１３によってプリロックを提供することで、携帯端末１の利便性を損なわず、不正利用、情報漏えい等のリスクを減らすことができる。
【産業上の利用可能性】
【００２８】
本発明によるロック方法は、携帯電話だけではなく、ＰＤＡ（Ｐｅｒｓｏｎａｌ  Ｄｉｇｉｔａｌ  Ａｓｓｉｓｔａｎｔ）、スマートフォンやノート型ＰＣ（Ｐｅｒｓｏｎａｌ  Ｃｏｍｐｕｔｅｒ）等の持ち運びが考えられる機器全般の盗難・紛失時のリスクを軽減させるために適用可能である。
【図面の簡単な説明】
【００２９】
【図１】本発明の実施の形態による携帯端末の内部構成を示すブロック図である。
【図２】図１の携帯端末の動作を示すフローチャートである。
【図３】本発明に関連する携帯端末の内部構成を示すブロック図である。
【符号の説明】
【００３０】
１  携帯端末
１１  ロック設定マネージャ
１２  ロックタイマ
１３  プリロックマネージャ
１４  ロックマネージャ
【図１】
2009049824.tif 000003
【図２】
2009049824.tif 000004
【図３】
2009049824.tif 000005